(57)【要約】【課題】  被連設体の形状、向きや付属する部品によらず柱構造体との接続が可能であって、柱構造体を被連設体に取り付ける際の作業性及び施工性が良好であり、柱構造体の内部空間を有効に利用可能な建築構造体を提供する。【解決手段】  柱構造体と、柱カバーを備え、柱構造体は、側面に柱を有しており、被連設体に、柱カバーを柱カバー側からネジ止めして取り付けてあり、柱を柱カバーに取り付けることで、柱構造体を被連設体に取り付けてある。【選択図】      図１
2015132089.tif 000002
【特許請求の範囲】
【請求項１】
柱構造体と、柱カバーを備え、柱構造体は、側面に柱を有しており、被連設体に、柱カバーを柱カバー側からネジ止めして取り付けてあり、柱を柱カバーに取り付けることで、柱構造体を被連設体に取り付けてあることを特徴とする建築構造体。
【発明の詳細な説明】
【技術分野】
【０００１】
本発明は、機能門柱などの柱構造体を、門やスクリーンなどの被連設体に取り付けて構成した建築構造体に関する。
【背景技術】
【０００２】
従来、非特許文献１に示すように、表札、インターホンやポストなどを備える機能門柱に、門扉を備える門を接続して連設する場合があった。この場合において、門扉を支持する門柱としては、門を独立して設ける場合の通常の門柱とは異なる、連設専用の門柱（補助門柱）を用いていた。なぜなら、通常の門柱は、他の構造体に取り付けることを想定したものではなく、機能門柱に直接取り付けることが困難だったからである。そして具体的には、図７に示すように、中空部１５１ａを有する補助門柱１５１の一方の側面を機能門柱１０１に当接させ、他方の側面に設けた溝部１５１ｂの底面の通し孔からネジ２０１を挿入してネジ止めしていた。
【先行技術文献】
【非特許文献】
【０００３】
【非特許文献１】「三協立山アルミ  ガーデンエクステリア施工手引き書  門まわり（１）  門まわり編（ＳＴＸ０３５６Ａ）」、三協立山アルミ株式会社、２００８年１１月、ｐ．２２０
【発明の概要】
【発明が解決しようとする課題】
【０００４】
しかしながら、従来の機能門柱と門の連設においては、専用の門柱を用いるので費用がかかる点が問題であった。そこで、専用の門柱を用いなくても済むように、門柱の形状、向きや付属する部品によらず、機能門柱との接続が可能となる構造のものが求められていた。また、補助門柱の中空部の奥に位置するネジ孔にネジを挿入しなければならず、作業性及び施工性が悪かった。さらに、中空部の幅の分の長さを有するネジを用いる必要があり、ネジ止め後においては、機能門柱の内部空間にその長さのネジが突出することになるので、ネジが障害となって内部空間を有効に利用することができなかった。
【０００５】
本発明は、上記事情を鑑みたものであり、被連設体の形状、向きや付属する部品によらず柱構造体との接続が可能であって、柱構造体を被連設体に取り付ける際の作業性及び施工性が良好であり、柱構造体の内部空間を有効に利用可能な建築構造体を提供することを目的とする。
【課題を解決するための手段】
【０００６】
本発明は、柱構造体と、柱カバーを備え、柱構造体は、側面に柱を有しており、被連設体に、柱カバーを柱カバー側からネジ止めして取り付けてあり、柱を柱カバーに取り付けることで、柱構造体を被連設体に取り付けてあることを特徴とする。
【発明の効果】
【０００７】
本発明によれば、柱カバー側から被連設体にネジ止めするので、被連設体は柱カバーに当接する部分さえ有していればよく、それ以外の部分の形状や付属する部品によらず柱構造体との接続が可能であり、また当接する部分が複数あれば、向きを変えて接続することもできる。また、柱カバーは中空部を有する構造のものではなく、ネジ止めが容易であるから、作業性及び施工性が良好である。さらに、柱カバーを被連設体に対してネジ止めするので、柱構造体の内部空間にネジが突出することがなく、柱構造体の内部空間を有効に利用することができる。
【図面の簡単な説明】
【０００８】
【図１】柱構造体の横断面図である。
【図２】柱構造体と被連設体の取り付けの説明図である。
【図３】建築構造体の横断面図である（門を平行接続する場合）。
【図４】建築構造体の背面図である（門を平行接続する場合）。
【図５】建築構造体の横断面図である（門を直角接続する場合）。
【図６】（ａ）は建築構造体の側面図、（ｂ）は建築構造体の正面図である（門がない場合）。
【図７】従来の建築構造体における、機能門柱と門の接続部分の説明図である。
【発明を実施するための形態】
【０００９】
以下、本発明の実施の形態を図面に基づいて説明する。なお、以下において前後方向とは図１における上下方向を示し、左右方向とは図１における左右方向を示すものとする。この建築構造体は、柱構造体１と、柱構造体１を取り付ける被連設体からなる。柱構造体１は、図６に示すような、いわゆる機能門柱であり、縦長の直方体形状のものである。前側（正面側）には、上から表札６１、インターホン６２及びポストの投入口６３を設けてあり、投入口６３の後側（背面側）に、箱形の収容部６４を設けてあって、投入口６３から投入された郵便物などが納まる。そして収容部６４の側面に扉６５を設けてあり、収容部６４内の郵便物などを取り出せるようになっている。
【００１０】
また、被連設体はどのような構造物であってもよいが、ここでは、柱構造体１の左側にスクリーン４を、右側に門５を連設した場合を示す。図３及び図４に示すように、スクリーン４は、前後に立設した支柱４１の間に、パネル体４２を取り付けたものである。支柱４１は、左右に長い断面略矩形の形材からなり、パネル体４２は、板状のものや格子状のものなど、どのようなものであってもよい。また、門５は、左右に立設した門柱５１の間に、門扉５２を取り付けたものである。門柱５１は、断面正方形の形材からなり、門柱５１の後側面にヒジ金具５３を取り付けてあって、ヒジ金具５３により門扉５２が開閉自在に支持されている。これらの被連設体（スクリーン４、門５）が、柱構造体１と連設されており、接続部分については後述する。
【００１１】
次に、柱構造体１の構造を説明する。図１及び図２に示すように、柱構造体１は、正面板１１と、背面板１２と、左右二本の柱３を備え、左右対称な形状である。正面板１１は、左右に延びる平板からなり、後側面の左右二箇所（左右端部よりも中央寄り）に、後側に向けて突出する前側突出片１３を形成してある。一方、背面板１２も、左右に延びる平板からなり、左右端に、前側に向けて突出する後側突出片１４を形成してあり、さらに後側突出片１４の先端に、左右端側（左側の後側突出片１４については左側、右側の後側突出片１４については右側）に向けて突出する位置決め突起１５を形成してある。正面板１１は、背面板１２よりも左右に長く、正面板１１の左右の前側突出片１３の間隔と、背面板１２の左右の後側突出片１４の間隔は、略同じである。また、柱３は、矩形の中空部３１を有する形材からなる。なお、ここでは図２に基づき左側の柱３について説明する。まず、中空部３１の前側面の右端に、前側に向けて延びる前側取付片３２を形成してあり、前側取付片３２の前端に、左側に向けて延びる前端片３３を形成してあり、前端片３３の先端に、後側に向けて突出する係合突起３４を形成してある。また、中空部３１の後側面の右端に、後側に向けて延びる後側取付片３５を形成してあり、後側取付片３５の後端に、後側に向けて開口するコ字形の係合溝３６を形成してある。さらに、中空部の右側面の後端に、右側に向けて開口するコ字形の位置決め溝３７を形成してある。そして、正面板１１の左側の前側突出片１３に、柱３の前側取付片３２を左側から当接させ、背面板１２の左側の後側突出片１４に、柱３の後側取付片３５を左側から当接させ、各当接部を左側（柱３側）からネジ止めしてある。この際、柱３の前端片３３が正面板１１の後側面に当接して、柱３と正面板１１が前後方向に位置決めされ、柱３の位置決め溝３７に背面板１２の位置決め突起１５が係合して、柱３と背面板１２が前後方向に位置決めされている。右側の柱３についても、左右対称で同様に取り付けてある。このようにして、断面略矩形の柱構造体１が形成され、その左右の側面に柱３が位置する構造となる。なお、柱３の左右幅は、正面板１１の前側突出片１３より左右端側部分の左右幅よりも短く、前側からは正面板１１しか見えない。
【００１２】
次に、この柱構造体１と被連設体の接続部分について説明する。図３に示すように、柱構造体１の左側にはスクリーン４が接続され、右側には門５が接続されているが、接続部分の構造は同じであるから、ここでは左側のスクリーン４との接続部分に基づいて説明する。図２に示すように、柱構造体１とスクリーン４の支柱４１は、柱カバー２を介して接続される。柱カバー２は、前後に延びる見込壁面２１を有しており、見込壁面２１の前端には、右側（柱構造体１側）に向けて延びる前側壁面２２を形成してある。さらに、前側壁面２２の先端には、前側に向けて開口するコ字形の被係合溝２３を形成してある。また、見込壁面２１の後端には、右側（柱構造体１側）に向けて延びる後側壁面２４を形成してある。さらに、後側壁面２４の先端部には、前側に向けて突出する被係合突起２５を形成してあり、後側壁面２４の左右方向中央には、後側に向けて開口する溝部２６を形成してあって、溝部２６の内周側の左右面には突起２７を形成してある。
【００１３】
そして、図２に示すように、接続に際しては、まず柱カバー２の見込壁面２１を、スクリーン４の支柱４１の右側面に当接させて（ａ）、右側（柱カバー２側）からネジ止めして取り付ける（ｂ）。次に、柱構造体１の柱３を、柱カバー２に取り付ける（ｃ）。この際、柱３の前側の係合突起３４を、柱カバー２の前側の被係合溝２３に係合させ、柱３の後側の係合溝３６を、柱カバー２の後側の被係合突起２５に係合させる。すると、柱カバー２の前側壁面２２が、正面板１１の後側面に当接し、柱カバー２の溝部２６の底面が、柱３の中空部３１の後側面に当接する。そして、溝部２６にネジを螺入し、溝部２６の底面と中空部３１の後側面をネジ止めして固定する（ｄ）。最後に、溝部２６に後側から溝部カバー２８を取り付けて、ネジを覆い隠す（ｅ）。溝部カバー２８は、左右に延びる平板状のもので、前側に延びる二本の係合脚２９を有している。係合脚２９は溝部２６内に納まり、くの字形に屈曲した先端部が溝部２６内の突起２７に係合することで、溝部カバー２８が柱カバー２に固定される。このようにして、柱構造体１と、スクリーン４とが接続される。なお、柱３を覆う柱カバー２の左右幅は、正面板１１の前側突出片１３より左右端側部分の左右幅と略等しく、前側からは正面板１１しか見えない。
【００１４】
また、柱構造体１と、門５との接続も同様であり、門柱５１の左側面に柱カバー２をネジ止めし、柱カバー２に柱３を係合させて取り付けてある。図３及び図４に示すように、門柱５１は左右に立設してあり、柱構造体１の正面に対して、門扉５２が平行な向きとなるように連設してある。この場合、門扉５２は内開き、すなわち図３において下側に向けて開く。
【００１５】
さらに、柱構造体１と、門５との接続においては、門扉５２の向きを異ならせることもできる。たとえば、図５に示す例では、門柱５１を前後に立設し、柱構造体１の正面に対して、門扉５２が直角な向きとなるように連設してある。この場合において、門柱５１は、図３に示した門扉５２が平行向きの場合と同じものを、９０度回転させて柱３と接続してある。なお、この場合、門扉５２は外開き、すなわち図５において左側に向けて開くようになっており、門扉５２が平行向きの場合とはヒジ金具５３の形状が異なっている。
【００１６】
このように構成した建築構造体によれば、柱カバー２側から被連設体（スクリーン４及び門５）にネジ止めするので、被連設体は柱カバー２に当接する部分さえ有していればよく、それ以外の部分の形状や付属する部品によらず柱構造体１との接続が可能である。たとえば、スクリーン４の支柱４１は左右に長い形状なので、左側（支柱４１側）からネジ止めすることは困難であるが、柱カバー２側からであれば、ネジ止めが可能である。また、被連設体に、柱カバー２と当接する部分が複数あれば、向きを変えて接続することもできる。たとえば、門５の門柱５１は断面正方形でどの側面にも柱カバー２を当接させることができ、また柱カバー２側からネジ止めするのでヒジ金具５３などの付属部品が障害となることもないので、上述のように、門扉５２の向きを異ならせて連設することも可能である。そして、被連設体は柱カバー２に当接する部分さえ有していればよいので、連設のための専用の部材を必要としない。よって、スクリーン４の支柱４１及び門５の門柱５１の何れにおいても、柱構造体１に接続する側と、その反対側とで、同じ部材を用いている。さらに、連設のためのネジ（柱カバー２を被連設体にネジ止めするネジ）は、柱カバー２と柱３の間に隠され、また柱カバー２は柱３に対して柱構造体１の背面側からネジ止めしてあり、さらに柱カバー２は正面板１１により覆い隠されているので、柱構造体１とスクリーン４や門５との接続部分が正面側からは一切見えず、意匠性が良好である。そして、柱カバー２の全体が凹形であって、凹形の内側に柱３が入り込むので、スリムに取付可能であり、この点においても意匠性が良好である。また、柱カバー２は中空部を有する構造のものではなく、見込壁面２１を被連設体に当接させてネジ止めすればよいので固定が容易であり、作業性及び施工性が良好である。さらに、柱カバー２を被連設体に対してネジ止めするので、柱構造体１の内部空間にネジが突出することがなく、柱構造体１の内部空間を有効に利用することができる。
【００１７】
なお、柱構造体１は左右両側に柱３を有するが、必ずしも左右両側に被連設体を連設しなくてもよい。たとえば、図６に示すように、門がなく、スクリーン４のみを連設したものであってもよい。スクリーン４を連設した側の反対側の柱３は、柱カバー２を取り付けて覆い隠してあり、そこに外部電源コンセント６６を設けてある。
【００１８】
本発明は、上記の実施形態に限定されない。たとえば、柱構造体の構造は、柱を有するものであればどのようなものであってもよく、柱の数はいくつでもよい。また、柱と柱カバーの取り付け方法は、どのようなものであってもよい。さらに、被連設体は、スクリーンや門以外の、どのような構造物であってもよい。
【符号の説明】
【００１９】
１  柱構造体
２  柱カバー
３  柱
４  スクリーン（被連設体）
５  門（被連設体）
【図１】
2015132089.tif 000003
【図２】
2015132089.tif 000004
【図３】
2015132089.tif 000005
【図４】
2015132089.tif 000006
【図５】
2015132089.tif 000007
【図６】
2015132089.tif 000008
【図７】
2015132089.tif 000009